(57)【要約】【課題】当選番号を照合する手間が省けるとともに、当選に該当する景品等をもらい損なうということを防止する。【解決手段】くじ付きはがき６００のＲＦＩＤラベル６０１に対し、プリンタ２１０のライタ機能により、ユーザＡのユーザ端末２００へのアクセス情報を含む個人情報と、受け取る側のユーザＢ〜Ｄのユーザ端末３００Ｂ〜３００Ｄへのアクセス情報とが書き込まれ、そのくじ付きはがき６００を郵便ポスト４００に投函する際、ＲＦＩＤラベル６０１の情報が読み取られて管理サーバ１２０に送信され、当選番号が確定すると該当するくじ番号情報がデータベース１３０から検索され、その検索されたくじ番号情報に対応するアクセス情報を基に、くじ付きはがき６００を送付する側のユーザ端末２００と、くじ付きはがき６００を受け取る側のユーザ端末３００Ｂ〜３００Ｄに当選結果が通知されるようにした。【選択図】図１
2008112330.tif 000002
【特許請求の範囲】
【請求項１】
くじ付きはがきの当選結果を通知する当選通知システムであって、
前記くじ付きはがきに設けられたくじ番号情報を有する記憶素子に対し、少なくとも前記くじ付きはがきを送付する側のユーザのユーザ端末へのアクセス情報を含む個人情報と、前記くじ付きはがきを受け取る側のユーザのユーザ端末へのアクセス情報とを書き込む書込装置と、
前記書込装置に少なくとも前記個人情報及びアクセス情報を与えることが可能で、さらに通信回線を介して少なくとも前記個人情報と購入したくじ付きはがきのくじ番号情報とを送信するユーザ端末と、
前記くじ付きはがきが投函される際、前記記憶素子の情報を読み取る装置と該読み取った読取情報を前記通信回線を介して送信する装置とを有する郵便ポストと、
前記通信回線を介し前記くじ付きはがきを送付する側のユーザ端末からの少なくとも前記個人情報及びくじ番号情報と、前記郵便ポストからの読取情報とを受け取り、当選結果を通知する管理サーバとを備え、
前記管理サーバは、
前記くじ付きはがきを送付する側のユーザ端末からの前記個人情報及び購入したくじ付きはがきのくじ番号情報と、前記郵便ポストからの読取情報とをデータベースに登録する登録手段と、
当選番号に該当するくじ番号情報を前記データベースから検索し、該検索したくじ番号情報に対応する前記アクセス情報を基に、前記くじ付きはがきを送付する側のユーザのユーザ端末と、前記くじ付きはがきを受け取る側のユーザのユーザ端末に当選結果を通知させるように制御する制御手段とを有する
ことを特徴とする当選通知システム。
【請求項２】
前記制御手段は、前記くじ付きはがきを送付する側のユーザ端末からの購入したくじ付きはがきのくじ番号情報と、販売予定のくじ付きはがきのくじ番号情報とを照合し、該照合が一致した場合、その一致したくじ番号情報を前記くじ付きはがきを送付する側のユーザ端末に通知するように制御することを特徴とする請求項１に記載の当選通知システム。
【請求項３】
くじ付きはがきの当選結果を通知する当選通知方法であって、
前記くじ付きはがきに設けられたくじ番号情報を有する記憶素子に対し、少なくとも前記くじ付きはがきを送付する側のユーザのユーザ端末へのアクセス情報を含む個人情報と、前記くじ付きはがきを受け取る側のユーザのユーザ端末へのアクセス情報とを書込装置によって書き込むステップと、
前記書込装置に少なくとも前記個人情報及びアクセス情報を与えることが可能なユーザ端末により、通信回線を介して少なくとも前記個人情報と購入したくじ付きはがきのくじ番号情報とを送信するステップと、
前記くじ付きはがきが郵便ポストに投函される際、前記記憶素子の情報を読み取る装置によって読み取られた読取情報を前記通信回線を介して送信する装置によって送信するステップと、
前記通信回線を介し前記くじ付きはがきを送付する側のユーザ端末からの少なくとも前記個人情報及びくじ番号情報と、前記郵便ポストからの読取情報とを受け取るステップとを有し、
前記くじ付きはがきを送付する側のユーザ端末からの前記個人情報及び購入したくじ付きはがきのくじ番号情報と、前記郵便ポストからの読取情報とをデータベースに登録し、
当選番号に該当するくじ番号情報を前記データベースから検索し、該検索したくじ番号情報に対応する前記アクセス情報を基に、前記くじ付きはがきを送付する側のユーザのユーザ端末と、前記くじ付きはがきを受け取る側のユーザのユーザ端末に当選結果を通知させるように制御する
ことを特徴とする当選通知方法。
【発明の詳細な説明】
【技術分野】
【０００１】
本発明は、くじ付きはがきの当選を通知する当選通知システム及び当選通知方法に関する。
【背景技術】
【０００２】
くじ付きはがきとして、「お年玉くじ付き年賀はがき」や「くじ付き暑中見舞用はがき」等がある。このようなくじ付きはがきでは、当選番号を調べる場合、新聞又はネット上に掲載された当選番号との照合を行うことになる。
【０００３】
ところで、くじ付きはがきは、受け取った枚数が多ければ多いほど、当選番号の照合が煩雑であるばかりか、照合間違い等を起こすおそれがある。また、送付したくじ付きはがきについては、相手に当選を知らせる等のために、予め番号を控えておくことになるが、やはり送付した枚数が多ければ多いほど、当選番号の照合が煩雑であるばかりか、照合間違い等を起こすおそれがある。
【０００４】
このような不具合を解消するものとして、特許文献１では、サービス利用者が予めサービス提供者に当選を知らせて欲しいくじの番号や記号と連絡先等の情報とを伝達しておき、そのくじが当選した場合にはサービス提供者がサービス利用者の希望する連絡先に連絡するようにした宝くじ等の当選をサービス利用者に自動的に知らせる方法を提案している。
【特許文献１】特開２００２−３３４１７６号公報
【発明の開示】
【発明が解決しようとする課題】
【０００５】
上述したように、特許文献１での宝くじ等の当選をサービス利用者に自動的に知らせる方法では、予め当選を知らせて欲しいくじの番号や記号と連絡先等の情報とをサービス提供者に伝達しておくことで、宝くじ等の当選をサービス利用者に自動的に知らせることができ、新聞又はネット上に掲載された当選番号との照合が不要となるばかりか、照合間違い等を起こすおそれもなくなる。
【０００６】
ところが、特許文献１での当選を知らせる方法では、サービス利用者自身に当選を知らせるものであり、このような当選を知らせる方法を上述したくじ付きはがきの場合に適用すると、サービス利用者以外は受け取ったくじ付きはがきの当選を自動的に知らせてもらうことができないという問題があった。
【０００７】
本発明は、このような状況に鑑みてなされたものであり、上記問題点を解決することができる当選通知システム及び当選通知方法を提供することを目的とする。
【課題を解決するための手段】
【０００８】
本発明の当選通知システムは、くじ付きはがきの当選結果を通知する当選通知システムであって、前記くじ付きはがきに設けられたくじ番号情報を有する記憶素子に対し、少なくとも前記くじ付きはがきを送付する側のユーザのユーザ端末へのアクセス情報を含む個人情報と、前記くじ付きはがきを受け取る側のユーザのユーザ端末へのアクセス情報とを書き込む書込装置と、前記書込装置に少なくとも前記個人情報及びアクセス情報を与えることが可能で、さらに通信回線を介して少なくとも前記個人情報と購入したくじ付きはがきのくじ番号情報とを送信するユーザ端末と、前記くじ付きはがきが投函される際、前記記憶素子の情報を読み取る装置と該読み取った読取情報を前記通信回線を介して送信する装置とを有する郵便ポストと、前記通信回線を介し前記くじ付きはがきを送付する側のユーザ端末からの少なくとも前記個人情報及びくじ番号情報と、前記郵便ポストからの読取情報とを受け取り、当選結果を通知する管理サーバとを備え、前記管理サーバは、前記くじ付きはがきを送付する側のユーザ端末からの前記個人情報及び購入したくじ付きはがきのくじ番号情報と、前記郵便ポストからの読取情報とをデータベースに登録する登録手段と、当選番号に該当するくじ番号情報を前記データベースから検索し、該検索したくじ番号情報に対応する前記アクセス情報を基に、前記くじ付きはがきを送付する側のユーザのユーザ端末と、前記くじ付きはがきを受け取る側のユーザのユーザ端末に当選結果を通知させるように制御する制御手段とを有することを特徴とする。
また、前記制御手段は、前記くじ付きはがきを送付する側のユーザ端末からの購入したくじ付きはがきのくじ番号情報と、販売予定のくじ付きはがきのくじ番号情報とを照合し、該照合が一致した場合、その一致したくじ番号情報を前記くじ付きはがきを送付する側のユーザ端末に通知するように制御するようにすることができる。
本発明の当選通知方法は、くじ付きはがきの当選結果を通知する当選通知方法であって、前記くじ付きはがきに設けられたくじ番号情報を有する記憶素子に対し、少なくとも前記くじ付きはがきを送付する側のユーザのユーザ端末へのアクセス情報を含む個人情報と、前記くじ付きはがきを受け取る側のユーザのユーザ端末へのアクセス情報とを書込装置によって書き込むステップと、前記書込装置に少なくとも前記個人情報及びアクセス情報を与えることが可能なユーザ端末により、通信回線を介して少なくとも前記個人情報と購入したくじ付きはがきのくじ番号情報とを送信するステップと、前記くじ付きはがきが郵便ポストに投函される際、前記記憶素子の情報を読み取る装置によって読み取られた読取情報を前記通信回線を介して送信する装置によって送信するステップと、前記通信回線を介し前記くじ付きはがきを送付する側のユーザ端末からの少なくとも前記個人情報及びくじ番号情報と、前記郵便ポストからの読取情報とを受け取るステップとを有し、前記くじ付きはがきを送付する側のユーザ端末からの前記個人情報及び購入したくじ付きはがきのくじ番号情報と、前記郵便ポストからの読取情報とをデータベースに登録し、当選番号に該当するくじ番号情報を前記データベースから検索し、該検索したくじ番号情報に対応する前記アクセス情報を基に、前記くじ付きはがきを送付する側のユーザのユーザ端末と、前記くじ付きはがきを受け取る側のユーザのユーザ端末に当選結果を通知させるように制御することを特徴とする。
本発明の当選通知システム及び当選通知方法では、くじ付きはがきに設けられたくじ番号情報を有する記憶素子に対し、少なくともくじ付きはがきを送付する側のユーザのユーザ端末へのアクセス情報を含む個人情報と、くじ付きはがきを受け取る側のユーザのユーザ端末へのアクセス情報とが書き込まれ、そのくじ付きはがきが郵便ポストに投函される際、記憶素子の情報が読み取られ、その読取情報が送信されると、これらの情報がデータベースに登録され、当選番号が確定すると該当するくじ番号情報がデータベースから検索され、その検索されたくじ番号情報に対応するアクセス情報を基に、くじ付きはがきを送付する側のユーザのユーザ端末と、くじ付きはがきを受け取る側のユーザのユーザ端末に当選結果が通知される。
【発明の効果】
【０００９】
本発明の当選通知システム及び当選通知方法によれば、当選番号が確定すると該当するくじ番号情報がデータベースから検索され、その検索されたくじ番号情報に対応するアクセス情報を基に、くじ付きはがきを送付する側のユーザのユーザ端末と、くじ付きはがきを受け取る側のユーザのユーザ端末に当選結果が通知されるようにしたので、当選通知システムのサービス利用者は勿論のこと、そのサービス利用者以外である、くじ付きはがきを受け取る側のユーザに対しても当選結果を自動的に知らせることができ、いずれのユーザも当選番号を照合する手間が省けるとともに、当選に該当する景品等をもらい損なうということも防止できる。
【発明を実施するための最良の形態】
【００１０】
本実施形態では、くじ付きはがきに設けられたくじ番号情報を有する記憶素子に対し、書込装置により、少なくともくじ付きはがきを送付する側のユーザのユーザ端末へのアクセス情報を含む個人情報と、くじ付きはがきを受け取る側のユーザのユーザ端末へのアクセス情報とが書き込まれ、そのくじ付きはがきを郵便ポストに投函する際、記憶素子の情報が読み取られ、その読取情報が送信されると、これらの情報が管理サーバ側のデータベースに登録される。
【００１１】
そして、制御手段により、当選番号が確定すると該当するくじ番号情報がデータベースから検索され、その検索されたくじ番号情報に対応するアクセス情報を基に、くじ付きはがきを送付する側のユーザのユーザ端末と、くじ付きはがきを受け取る側のユーザのユーザ端末に当選結果が通知されるようにした。
【００１２】
これにより、当選通知システムのはもちろんのこと、そのサービス利用者以外である、くじ付きはがきを受け取る側のユーザに対しても当選結果を自動的に知らせることができ、いずれのユーザも当選番号を照合する手間が省けるとともに、当選に該当する景品等をもらい損なうということも防止できる。
【実施例】
【００１３】
以下、本発明の実施例について説明する。図１は、本発明の当選通知システムの一実施例を示す図である。なお、以下の説明においては、ユーザＡが後述のくじ付きはがき６００を複数購入し、ユーザＢ〜Ｄに送付する場合として説明する。
【００１４】
同図に示す当選通知システムは、当選通知サービス装置１００と、ユーザ端末２００，３００Ｂ〜３００Ｄと、郵便ポスト４００とを備え、これらは通信回線であるインターネット５００を介して接続されている。
【００１５】
当選通知サービス装置１００は、当選通知サービスの運営者が保有するものであり、管理端末１１０と、管理サーバ１２０と、データベース１３０とを備えている。
【００１６】
管理端末１１０は、たとえば管理サーバ１２０のシステム変更やユーザ端末２００，３００Ｂ〜３００Ｄからの問い合わせに対する回答等を行う場合に操作されるものである。なお、ユーザ端末２００，３００Ｂ〜３００Ｄからの問い合わせとしては、当選通知サービスに関する様々な質問となることが予測される。この場合、たとえば電子メールによる質問があるとき、質問のあったユーザのメールアドレスを用いて質問の回答が送信される。管理端末１１０としては、ディスクトップパソコン、ノートパソコン等を用いることができる。
【００１７】
管理サーバ１２０は、当選通知サービスを利用するたとえばユーザ端末２００からの個人情報とくじ番号情報とを受け付けるとともに、郵便ポスト４００からの読取情報を受け付け、そのくじ番号情報が当選に該当した場合にその当選をユーザ端末２００，３００Ｂ〜３００Ｄに通知するものであるが、その詳細については後述する。
【００１８】
ここで、ユーザ端末２００からの個人情報は、少なくとも住所、氏名、メールアドレスとすることができる。また、くじ番号情報は、少なくとも後述のくじ付きはがき６００に貼着されたＲＦＩＤラベル６０１に記載されている組６０２及び番号６０３とすることができる。
【００１９】
データベース１３０には、販売予定のくじ付きはがき６００の全てのくじ番号情報と、当選通知サービスを利用するたとえばユーザ端末２００からの個人情報等が登録される。また、データベース１３０には、後述のくじ付きはがき管理リスト７００が登録されているが、そのくじ付きはがき管理リスト７００の詳細については後述する。
【００２０】
ユーザ端末２００は、たとえば図２に示すようなくじ付きはがき６００を購入し、その購入したくじ付きはがきをユーザＢ〜Ｄに送付するユーザＡが使用する場合を想定したものである。また、ユーザ端末２００は、少なくともインターネット５００を介して管理サーバ１２０と通信できる機能があればよく、ディスクトップパソコン、ノートパソコン、携帯電話、ＰＤＡ等を用いることができる。
【００２１】
ここで、そのくじ付きはがき６００には、ＲＦＩＤラベル６０１が貼着されている。ＲＦＩＤラベル６０１には、少なくともくじ番号情報を示す組６０２と番号６０３とが印字され、その組６０２と番号６０３とが記憶素子であるインレット６０４のＩＣチップに記憶されているものとする。なお、くじ付きはがき６００にＲＦＩＤラベル６０１を貼着する場合に限らず、インレット６０４のみをくじ付きはがき６００に予め組み込むようにしてもよい。
【００２２】
また、ユーザ端末２００には、そのＲＦＩＤラベル６０１のインレット６０４のＩＣチップに対して情報の少なくとも書き込みを行うライタ機能が搭載された書込装置であるプリンタ２１０が接続されている。なお、そのプリンタ２１０では、ＲＦＩＤラベル６０１のインレット６０４のＩＣチップに対して、少なくとも後述のユーザＩＤと受取側のユーザＢ〜Ｄのアクセス情報（メールアドレス等）が書き込まれるものとする。
【００２３】
また、プリンタ２１０にあっては、ライタ機能が搭載されていればよく、スタンドアロンタイプでもよい。また、専用のリーダライタ装置でＲＦＩＤラベル６０１のインレット６０４のＩＣチップに対し、少なくとも後述のユーザＩＤと受取側のユーザＢ〜Ｄのアクセス情報（メールアドレス等）が書き込まれるようにしてもよい。
【００２４】
ユーザ端末３００Ｂ〜３００Ｄは、上述したユーザＡからのくじ付きはがき６００を受け取るユーザＢ〜Ｄが使用する場合を想定したものである。これらのユーザ端末３００Ｂ〜３００Ｄは、少なくともインターネット５００を介して管理サーバ１２０と通信できる機能があればよく、ディスクトップパソコン、ノートパソコン、携帯電話、ＰＤＡ等を用いることができる。
【００２５】
郵便ポスト４００は、くじ付きはがき６００等の郵便物が投函されるものであり、少なくともくじ付きはがき６００のＲＦＩＤラベル６０１のインレット６０４のＩＣチップの情報を読み取る図示しないリーダと、その読取情報を管理サーバ１２０に送信する図示しない通信装置とを搭載している。
【００２６】
ここで、少なくともそのリーダは、郵便ポスト４００の投函口に設けられていればよい。また、その投函口に表示部等を設け、読み取りが正常に行われたか否かを表示するようにしてもよい。また、通信装置から管理サーバ１２０に送信される読取情報には、少なくとも後述のユーザＩＤと、くじ番号情報と、受取側のユーザＢ〜Ｄのアクセス情報（たとえばメールアドレス）とが含まれている。
【００２７】
図３は、管理サーバ１２０の詳細を説明するための図である。同図に示すように、管理サーバ１２０は、インタフェース部１２１、受付部１２２、通知部１２３、データ書込部１２４、データ読込部１２５、制御部１２６を備えている。
【００２８】
インタフェース部１２１は、インターネット５００を介してユーザ端末２００，３００Ｂ〜３００Ｄとの間でのデータのやり取りを受け持つ。また、インタフェース部１２１は、郵便ポスト４００の図示しない通信装置との間でのデータのやり取りを受け持つ。
【００２９】
受付部１２２は、当選通知システムのサービスを利用するたとえばユーザＡが使用するユーザ端末２００からのアクセスを受け付け、個人情報を登録するための図示しない登録用Ｗｅｂページを提供する。この登録用Ｗｅｂページで個人情報である、たとえば住所、氏名、メールアドレスが入力されると、その個人情報がデータベース１３０に登録される。
【００３０】
なお、個人情報がデータベース１３０に登録される際、予め割り振ったユーザＩＤに対応付けてもよく、その場合は個人情報を登録したたとえばユーザＡに対して割り当てられたユーザＩＤを電子メール等で通知される。このユーザＩＤを受け取ったたとえばユーザＡは、以降、そのユーザＩＤを用いることで、管理サーバ１２０側での個人情報の確認が行われることになる。
【００３１】
また、受付部１２２は、たとえばユーザ端末２００からのアクセスを受け付け、ユーザＡが購入した複数のくじ付きはがき６００の照合を行うための図示しない照合用Ｗｅｂページを提供する。この照合用Ｗｅｂページでは、登録用Ｗｅｂページで入力されたユーザＡのユーザＩＤと、購入した複数のくじ付きはがき６００のくじ番号情報である、ＲＦＩＤラベル６０１に記載されている組６０２及び番号６０３とが入力されるようになっている。なお、ユーザＡがユーザＩＤを忘れた場合は、既に登録してある個人情報が照合用Ｗｅｂページに入力されるようにしてもよい。
【００３２】
通知部１２３は、照合用Ｗｅｂページで入力されたくじ付きはがき６００の照合結果等をユーザＡのユーザ端末２００に通知する。これにより、ユーザＡは、受け取った照合結果をユーザ端末２００のハードディスクやＤＶＤ等の記憶装置に記憶させておくことができ、購入した複数のくじ付きはがき６００のくじ番号情報である、組６０２及び番号６０３を控えておく手間が省ける。
【００３３】
また、通知部１２３は、少なくとも当選結果をユーザＡ〜Ｄのユーザ端末２００，３００Ｂ〜３００Ｄに通知する。これにより、くじ付きはがき６００を送付したユーザＡがくじ番号情報を控えていなくても、当選結果を知ることができる。また、ユーザＡからくじ付きはがき６００を受け取ったユーザＢ〜Ｄにあっても、新聞又はネット上に掲載された当選番号との照合を行わなくても、当選結果を知ることができる。なお、通知する当選結果の内容は、くじ付きはがき６００のくじ番号情報である、組６０２及び番号６０３と、１等、２等・・・のように何等に当選したかを示すものとすることができ、テキスト文字や画像等とすることができる。
【００３４】
登録手段としてのデータ書込部１２４は、登録用Ｗｅｂページで入力されたユーザＡの個人情報をデータベース１３０に書き込む。この場合、上述したように、予め割り振ったユーザＩＤに対応付けて書き込まれるものとする。
【００３５】
また、データ書込部１２４は、データベース１３０に登録されている、たとえば図４に示すようなくじ付きはがき管理リスト７００の項目７０１に、販売予定の全てのくじ付きはがき６００の上述した組６０２と番号６０３とを示すくじ番号情報を書き込む。
【００３６】
また、データ書込部１２４は、上述の照合用Ｗｅｂページで入力された個人情報のたとえばユーザＡのメールアドレスをアクセス情報として、くじ付きはがき管理リスト７００の項目７０２のくじ番号情報に該当する個所に書き込む。
【００３７】
ここで、上述の照合用Ｗｅｂページでは、ユーザＩＤ又は登録用Ｗｅｂページで入力されたユーザＡの個人情報と、購入した複数のくじ付きはがき６００のくじ番号情報である、ＲＦＩＤラベル６０１に記載されている組６０２及び番号６０３とが入力されるようになっており、その入力されたくじ番号情報がくじ付きはがき管理リスト７００の項目７０１のくじ番号情報と照合され、一致した場合にユーザＡのアクセス情報（たとえばＵＳＥＲ−Ａ＠ａｂｃ．ｃｏｍ）がその項目７０２のくじ番号情報に該当する個所に書き込まれる。
【００３８】
また、その照合が一致した場合は、ユーザＡのアクセス情報（たとえばＵＳＥＲ−Ａ＠ａｂｃ．ｃｏｍ）を用いて照合が一致したことを示す照合結果が通知される。この場合の照合結果は、上述したように、少なくとも購入した複数のくじ付きはがき６００のくじ番号情報である、組６０２及び番号６０３である。
【００３９】
また、データ書込部１２４は、郵便ポスト４００の図示しない通信装置からの読取情報が受け取られると、その読取情報のアクセス情報（たとえばメールアドレス）をくじ付きはがき管理リスト７００に書き込む。
【００４０】
すなわち、郵便ポスト４００の図示しない通信装置からの読取情報は、くじ番号情報と受取側のユーザＢ〜Ｄのいずれかのアクセス情報（たとえばメールアドレス）とが対となっている。そこで、たとえばくじ番号情報の「Ａ１２３組」「４５６７８９」と、受取側のユーザＢのアクセス情報（たとえばＵＳＥＲ−Ｂ＠ｄｅｆ．ｊｐ）とが対となっているものとすると、くじ付きはがき管理リスト７００の項目７０３のくじ番号情報に該当する個所にアクセス情報（たとえばＵＳＥＲ−Ｂ＠ｄｅｆ．ｊｐ）が書き込まれる。
【００４１】
同様に、くじ番号情報の「Ａ１２３組」「４５６７９０」と、受取側のユーザＣのアクセス情報（たとえばＵＳＥＲ−Ｃ＠ｅｆｇ．ｊｐ）とが対となっているものとすると、くじ付きはがき管理リスト７００の項目７０３のくじ番号情報に該当する個所にアクセス情報（たとえばＵＳＥＲ−Ｃ＠ｅｆｇ．ｊｐ）が書き込まれる。
【００４２】
同様に、くじ番号情報の「Ａ１２３組」「４５６７９１」と、受取側のユーザＤのアクセス情報（たとえばＵＳＥＲ−Ｄ＠ｈｉｊ．ｊｐ）とが対となっているものとすると、くじ付きはがき管理リスト７００の項目７０３のくじ番号情報に該当する個所にアクセス情報（たとえばＵＳＥＲ−Ｄ＠ｈｉｊ．ｊｐ）が書き込まれる。
【００４３】
データ読込部１２５は、たとえばくじ付きはがき６００の当選番号が確定すると、制御部１２６の制御により、データベース１３０からくじ付きはがき管理リスト７００のデータを読み込む。
【００４４】
制御手段としての制御部１２６は、管理端末１１０の操作に応じ、所定の制御プログラムに従って各部の動作を制御する。本実施例における制御部１２６の主な制御としては、当選通知システムのサービスを利用するたとえばユーザＡの個人情報である、たとえば住所、氏名、メールアドレスを受け付けて、データベース１３０に登録することである。この場合、アクセスのあったたとえばユーザ端末２００に提供した上述の登録用Ｗｅｂページに個人情報を入力してもらうことで、個人情報の登録が完了する。また、個人情報の登録が完了すると、割り当てられたユーザＩＤがユーザＡに通知される。
【００４５】
また、制御部１２６の主な制御としては、くじ付きはがき６００を購入したたとえばユーザＡからの上述した照合用Ｗｅｂページで入力された内容のうち、購入した複数のくじ付きはがき６００のくじ番号情報と、くじ番号情報がくじ付きはがき管理リスト７００の項目７０１のくじ番号情報とを照合し、その照合が一致した場合は、通知部１２３に対しユーザ端末２００にユーザＡのアクセス情報（たとえばＵＳＥＲ−Ａ＠ａｂｃ．ｃｏｍ）を用いて照合が一致したことを示す照合結果を通知させることである。
【００４６】
ここで、制御部１２６によりユーザＡからの購入した複数のくじ付きはがき６００のくじ番号情報と、くじ番号情報がくじ付きはがき管理リスト７００の項目７０１のくじ番号情報とを照合することで、販売予定のくじ付きはがき６００に該当するかどうかの確認を行うことができる。なお、照合に不一致があれば、ユーザＡによるくじ番号情報の入力間違いが等あると判断し、ユーザＡに対してくじ番号情報の再入力を促すことができる。
【００４７】
また、ユーザＡに通知される照合結果としては、少なくとも照合したくじ番号情報である、組６０２及び番号６０３となるため、ユーザＡは受け取った照合結果をユーザ端末２００のハードディスクやＤＶＤ等の記憶装置に記憶させておくことで、購入した複数のくじ付きはがき６００のくじ番号情報である、組６０２及び番号６０３を控えておく手間が省ける。
【００４８】
また、制御部１２６の主な制御としては、郵便ポスト４００からの読取情報を基に、データ書込部１２４に対し、くじ付きはがき管理リスト７００の項目７０３のくじ番号情報に該当する個所にユーザＢ〜Ｄのそれぞれのアクセス情報（たとえばメールアドレス）を書き込ませることである。
【００４９】
また、制御部１２６の主な制御としては、くじ付きはがき６００の当選番号が確定すると、データ読込部１２５に対してデータベース１３０に登録されているくじ付きはがき管理リスト７００のデータを読み込ませ、そのデータから当選番号に該当するくじ番号情報を検索し、さらにその検索したくじ番号情報に対応するユーザＡ〜Ｄのアクセス情報（たとえばメールアドレス）を検索し、通知部１２３に対しそのアクセス情報（たとえばメールアドレス）を用いて当選結果を通知させることである。
【００５０】
ここで、当選結果としては、くじ付きはがき６００のくじ番号情報である、組６０２及び番号６０３と、１等、２等・・・のように何等に当選したかを示す内容とすることができる。このような当選結果を受け取ることで、ユーザＡはユーザＢ〜Ｄに送付したくじ付きはがき６００に当たりがあったことを容易に知ることができる。また、ユーザＢ〜Ｄは、新聞又はネット上に掲載された当選番号との照合を行うことなく、受け取ったくじ付きはがき６００に当たりがあったことを容易に知ることができる。
【００５１】
次に、当選通知システムによる当選通知方法について説明する。なお、以下においては、ユーザＡが当選通知システムのサービスを利用するために個人情報を登録するとともに、くじ付きはがき６００を複数購入し、ユーザＢ〜Ｄに送付する場合で説明する。
【００５２】
また、当選通知サービス装置１００側では、くじ付きはがき６００の発売が開始される前に、管理サーバ１２０のデータ書込部１２４により、データベース１３０に設けられている図４に示したくじ付きはがき管理リスト７００の項目７０１に、販売予定の全てのくじ付きはがき６００の組６０２と番号６０３とを示すくじ番号情報が書き込まれているものとする。
【００５３】
まず、図５に示すように、当選通知システムのサービスを利用するにあたり、個人情報を登録する（ステップＳ１）。この場合、ユーザＡがユーザ端末２００から管理サーバ１２０にアクセスし、ユーザ端末２００に提供される上述の登録用Ｗｅｂページに個人情報である、住所、氏名、メールアドレス等を入力する。
【００５４】
このとき、管理サーバ１２０の制御部１２６により、その登録用Ｗｅｂページに入力されたユーザＡの個人情報がデータ書込部１２４によりデータベース１３０に書き込まれることで、個人情報の登録が完了する。この場合、ユーザＡの個人情報がユーザＩＤに対応付けて登録され、さらにそのユーザＩＤが個人情報の登録を行ったユーザＡのユーザ端末２００に電子メール等で通知される（ステップＳ２）。
【００５５】
次いで、ユーザＡがくじ付きはがき６００を購入した場合、ユーザ端末２００から管理サーバ１２０にアクセスし、ユーザ端末２００に提供される上述の照合用ＷｅｂページにユーザＩＤと購入した複数のくじ付きはがき６００のくじ番号情報とを入力する（ステップＳ３）。
【００５６】
このとき、管理サーバ１２０の制御部１２６により、その照合用Ｗｅｂページに入力された内容のうち、くじ番号情報がくじ付きはがき管理リスト７００の項目７０１のくじ番号情報と照合される（ステップＳ４）。ここで、その照合が一致した場合は、その照合用Ｗｅｂページに入力されたユーザＩＤから既にデータベース１３０に登録されている個人情報のアクセス情報（たとえばメールアドレス）が検索され、通知部１２３に対しユーザ端末２００にユーザＡのアクセス情報（たとえばメールアドレス）を用いて照合が一致したことを示す照合結果が通知される（ステップＳ５）。
【００５７】
ここでの照合結果は、少なくとも照合したくじ番号情報である、組６０２及び番号６０３となる。また、その照合が一致した場合は、ユーザＡのアクセス情報（たとえばメールアドレス）がくじ番号情報がくじ付きはがき管理リスト７００の項目７０２のくじ番号情報に該当する個所に書き込まれる（ステップＳ７）。
【００５８】
これにより、くじ付きはがき管理リスト７００のくじ番号情報と、そのくじ付きはがき６００を購入したユーザＡのアクセス情報（たとえばメールアドレス）とが対応付けられる。
【００５９】
また、このような照合により、販売予定のくじ付きはがき６００に該当するかどうかの確認が行われることで、その照合に不一致がある場合は、照合用Ｗｅｂページ上でのくじ番号情報の入力に誤りがあると判断でき、ユーザＡにくじ番号情報の再入力を促すことができる（ステップＳ６）。
【００６０】
一方、管理サーバ１２０から照合結果を受け取ったユーザＡは、その照合結果をユーザ端末２００のハードディスクやＤＶＤ等の記憶装置に記憶させておくことで、購入した複数のくじ付きはがき６００のくじ番号情報である、組６０２及び番号６０３を控えておく手間が省ける。
【００６１】
次いで、ユーザＡがユーザＢ〜Ｄに対するくじ付きはがき６００の送付準備を行う場合、リーダライタ機能が搭載されているプリンタ２１０により、それぞれのくじ付きはがき６００のＲＦＩＤラベル６０１のインレット６０４のＩＣチップに対して、ユーザＡのユーザＩＤと、受取側のユーザＢ〜Ｄのアクセス情報（たとえばメールアドレス）とを書き込む（ステップＳ８）。
【００６２】
このとき、たとえばユーザ端末２００からプリンタ２１０に対して印字指令を送るとき、ＲＦＩＤラベル６０１のインレット６０４のＩＣチップに書き込む情報も併せて送ることができる。これにより、プリンタ２００により、くじ付きはがき６００の表面に宛先が印字され、その裏面に任意の文章が印字されることに併せて、ＲＦＩＤラベル６０１のインレット６０４のＩＣチップへの情報の書き込みも行われる。
【００６３】
次いで、ユーザＢ〜Ｄに対するくじ付きはがき６００の送付準備を終えた後、くじ付きはがき６００を郵便ポスト４００に投函する（ステップＳ９）。この場合、郵便ポスト４００の投函口にリーダが設けられている場合は、そのリーダにくじ付きはがき６００のＲＦＩＤラベル６０１をかざすことで、ＲＦＩＤラベル６０１のインレット６０４のＩＣチップの情報が読み取られる（ステップＳ１０）。また、郵便ポスト４００の投函口に表示部等が設けられていて、読み取りが正常に行われたか否かが表示される場合、その表示内容を確認して次のくじ付きはがき６００を同様に投函する。
【００６４】
郵便ポスト４００のリーダによってくじ付きはがき６００のインレット６０４のＩＣチップの情報が読み取られると、その読取情報が通信装置により管理サーバ１２０に送信される（ステップＳ１１）。ここで、その通信装置からの読取情報の送信は、リーダによってくじ付きはがき６００のインレット６０４のＩＣチップの情報が読み取られる度に行われるようにしてよいし、全てのくじ付きはがき６００のＲＦＩＤラベル６０１の読み取りが完了してからまとめて送られるようにしてもよい。
【００６５】
いずれにしても、その読取情報は、くじ番号情報と受取側のユーザＢ〜Ｄのいずれかのアクセス情報（たとえばメールアドレス）とが対となっているため、管理サーバ１２０側ではくじ番号情報と受取側のユーザＢ〜Ｄのいずれかのアクセス情報（たとえばメールアドレス）との対を容易に確認することができる。
【００６６】
管理サーバ１２０側では、郵便ポスト４００からの読取情報を受け取ると、制御部１２６によりデータ書込部１２４が制御され、データベース１３０に登録されているくじ付きはがき管理リスト７００の項目７０３のくじ番号情報に該当する個所に、ユーザＢ〜Ｄのそれぞれのアクセス情報（たとえばメールアドレス）が書き込まれる（ステップＳ１２）。
【００６７】
これにより、くじ付きはがき管理リスト７００のくじ番号情報と、そのくじ付きはがき６００を購入したユーザＡのアクセス情報（たとえばメールアドレス）と、そのくじ付きはがき６００を受け取る側のユーザＢ〜Ｄのアクセス情報（たとえばメールアドレス）とが対応付けられる。
【００６８】
次に、図６に示すように、くじ付きはがき６００の当選番号が確定すると、制御部１２６によりデータ読込部１２５が制御され、データベース１３０に登録されているくじ付きはがき管理リスト７００のデータが読み込まれる。ここで、制御部１２６により、くじ付きはがき管理リスト７００の項目７０１から確定された当選番号に該当するくじ番号情報が検索され（ステップＳ１３）、さらにその検索された項目７０１に対応するユーザＡ〜Ｄのアクセス情報（たとえばメールアドレス）がくじ付きはがき管理リスト７００の項目７０２及び項目７０３から検索される（ステップＳ１４）。
【００６９】
そして、制御部１２６により通知部１２３が制御され、検索されたユーザＡ〜Ｄのアクセス情報（たとえばメールアドレス）を用いて当選結果が通知される（ステップＳ１５）。ここで、当選結果としては、くじ付きはがき６００のくじ番号情報である、組６０２及び番号６０３と、１等、２等・・・のように何等に当選したかを示す内容となる。
【００７０】
このような当選結果を受け取ることで、ユーザＡはユーザＢ〜Ｄに送付したくじ付きはがき６００に当たりがあったことを容易に知ることができる。また、ユーザＢ〜Ｄは、新聞又はネット上に掲載された当選番号との照合を行うことなく、受け取ったくじ付きはがき６００に当たりがあったことを容易に知ることができる。
【００７１】
このように、本実施例では、くじ付きはがき６００に設けられたくじ番号情報を有するＲＦＩＤラベル６０１のインレット６０４のＩＣチップに対し、プリンタ２１０のライタ機能により、少なくともくじ付きはがき６００を送付する側のユーザＡのユーザ端末２００へのアクセス情報を含む個人情報と、くじ付きはがき６００を受け取る側のユーザＢ〜Ｄのユーザ端末３００Ｂ〜３００Ｄへのアクセス情報とが書き込まれ、そのくじ付きはがき６００を郵便ポスト４００に投函する際、ＲＦＩＤラベル６０１の情報が読み取られ、その読取情報が送信されると、これらの情報が管理サーバ１２０側のデータベース１３０に登録される。
【００７２】
そして、管理サーバ１２０の制御部１２６により、当選番号が確定すると該当するくじ番号情報がデータベース１３０から検索され、その検索されたくじ番号情報に対応するアクセス情報を基に、くじ付きはがき６００を送付する側のユーザＡのユーザ端末２００と、くじ付きはがき６００を受け取る側のユーザＢ〜Ｄのユーザ端末３００Ｂ〜３００Ｄに当選結果が通知されるようにした。
【００７３】
これにより、当選通知システムのサービス利用者はもちろんのこと、そのサービス利用者以外である、くじ付きはがき６００を受け取る側のユーザＢ〜Ｄに対しても当選結果を自動的に知らせることができ、いずれのユーザＡ〜Ｄも当選番号を照合する手間が省けるとともに、当選に該当する景品等をもらい損なうということも防止できる。
【００７４】
また、本実施例では、管理サーバ１２０の制御部１２６により、くじ付きはがき６００を送付する側のユーザ端末２００からの購入したくじ付きはがき６００のくじ番号情報と、販売予定のくじ付きはがきのくじ番号情報とを照合し、該照合が一致した場合、その一致したくじ番号情報をくじ付きはがき６００を送付する側のユーザ端末２００に通知するようにしたので、管理サーバ１２０から照合結果を受け取ったユーザＡは、その照合結果をユーザ端末２００のハードディスクやＤＶＤ等の記憶装置に記憶させておくことで、購入した複数のくじ付きはがき６００のくじ番号情報である、組６０２及び番号６０３を控えておく手間が省ける。
【００７５】
なお、本実施例では、プリンタ２１０のライタ機能により、ＲＦＩＤラベル６０１のインレット６０４のＩＣチップに対して、少なくともユーザＩＤと受取側のユーザＢ〜Ｄのアクセス情報（メールアドレス等）が書き込まれる場合について説明したが、この例に限らず、ユーザＩＤの代わりに、くじ付きはがき６００を送付する側のユーザＡのユーザ端末２００へのアクセス情報（たとえばメールアドレス）を含む個人情報（住所、氏名）が書き込まれるようにしてもよい。
【００７６】
また、本実施例では、ユーザＡがユーザ端末２００により個人情報の登録や購入したくじ付きはがき６００の照合のための入力等を行う場合について説明したが、この例に限らず、個人情報の登録や購入したくじ付きはがき６００の照合のための入力等を、くじ付きはがき６００の販売窓口等に設置された専用端末を用いて行うようにしてもよい。
【００７７】
また、本実施例では、ライタ機能を有するプリンタ２１０によって、ＲＦＩＤラベル６０１のインレット６０４のＩＣチップに対して、少なくともユーザＩＤと受取側のユーザＢ〜Ｄのアクセス情報（メールアドレス等）が書き込まれる場合について説明したが、これらの書き込みを、上記同様に、くじ付きはがき６００の販売窓口等に設置された専用端末を用いて行うようにしてもよい。
【図面の簡単な説明】
【００７８】
【図１】本発明の当選通知システムの一実施例を示す図である。
【図２】図１の当選通知システムで用いられるくじ付きはがきの一例を示す図である。
【図３】図１の管理サーバの詳細を説明するための図である。
【図４】図１のデータベースに登録されるくじ付きはがき管理リストを説明するための図である。
【図５】図１の当選通知システムによる当選通知方法について説明するためのフローチャートである。
【図６】図１の当選通知システムによる当選通知方法について説明するためのフローチャートである。
【符号の説明】
【００７９】
１００  当選通知サービス装置
１１０  管理端末
１２０  管理サーバ
１２１  インタフェース部
１２２  受付部
１２３  通知部
１２４  データ書込部（登録手段）
１２５  データ読込部
１２６  制御部（制御手段）
１３０  データベース
２００  プリンタ
２００，３００Ｂ〜３００Ｄ  ユーザ端末
２１０  プリンタ（書込装置）
４００  郵便ポスト
５００  インターネット
６０１  ＲＦＩＤラベル
６０２  組
６０３  番号
６０４  インレット（記憶素子）
７００  くじ付きはがき管理リスト
７０１〜７０３  項目
７０２  項目
【図１】
2008112330.tif 000003
【図２】
2008112330.tif 000004
【図３】
2008112330.tif 000005
【図４】
2008112330.tif 000006
【図５】
2008112330.tif 000007
【図６】
2008112330.tif 000008